(57)【要約】【課題】  静電シールドと共に、電磁誘導ノイズを低減できる電磁継電器を実現することを目的にする。【解決手段】  本発明は、励磁コイルによりリレーリードの接点のオン、オフを行う電磁継電器に改良を加えたものである。本装置は、複数の穴が設けられ、上面部または下面部に、励磁コイル及び前記リレーリードが挿入される穴の周囲に非導電性電波吸収部が形成され、非導電性電波吸収部が形成されない部分に導電性電波吸収部が形成され、この導電性電波吸収部が電気的に接続され、接地する接地リードが穴に挿入される台座と、内壁面上の端部に、非導電性電波吸収部が形成され、その他の内壁面上に、導電性電波吸収部が形成され、台座の導電性電波吸収部と電気的に接続し、台座を覆うシールドケースとを備えたことを特徴とする装置である。【選択図】      図１
2005032672.tif 000002
【特許請求の範囲】
【請求項１】
励磁コイルによりリレーリードの接点のオン、オフを行う電磁継電器において、
複数の穴が設けられ、上面部または下面部に、前記励磁コイル及び前記リレーリードが挿入される穴の周囲に非導電性電波吸収部が形成され、非導電性電波吸収部が形成されない部分に導電性電波吸収部が形成され、この導電性電波吸収部が電気的に接続され、接地する接地リードが穴に挿入される台座と、
内壁面上の端部に、非導電性電波吸収部が形成され、その他の内壁面上に、導電性電波吸収部が形成され、前記台座の導電性電波吸収部と電気的に接続し、前記台座を覆うシールドケースと
を備えたことを特徴とする電磁継電器。
【請求項２】
励磁コイルによりリレーリードの接点のオン、オフを行う電磁継電器において、
前記励磁コイル及び前記リレーリードが挿入される穴と接地する接地リードが挿入される穴とが設けられる台座と、
内壁面上の端部に、非導電性電波吸収部が形成され、その他の内壁面上に、導電性電波吸収部が形成されるシールドケースと、
前記台座が取り付けられ、上面部または下面部に、前記励磁コイル及び前記リレーリードが穴に挿入される信号ピンの周囲に非導電性電波吸収部が形成され、非導電性電波吸収部が形成されない部分に導電性電波吸収部が形成され、この導電性電波吸収部を介して、前記シールドケースの導電性電波吸収部と電気的に接続し、接地リードが穴に挿入される接地ピンを接地するソケットと
を備えたことを特徴とする電磁継電器。
【発明の詳細な説明】
【技術分野】
【０００１】
本発明は、静電シールドと共に、電磁誘導ノイズを低減できる電磁継電器に関するものである。
【背景技術】
【０００２】
電磁継電器は、ガラス管にリレー素子が封止され、電磁コイルによりリレー素子の接点をオン、オフが行われる。例えば、特許文献１に記載されている。このような電磁継電器を図４に示し説明する。
【０００３】
図４において、プリント基板１は複数の穴１１が設けられている。リレーソケット２は、プリント基板１の穴１１に挿入し固定される端子２１が複数設けられている。台座３は、リレーリード３１、ガラス管３２、励磁コイル３３、リード３４が設けられ、リレーソケット２に取り付けられる。リレーリード３１は、ガラス管３２の外周に覆われ、このガラス管３２に励磁コイル３３が巻かれる。そして、リレーリード３１、励磁コイル３３は、リレーソケット２の端子２１に電気的に接続する。シールドケース４はアルミ等からなり、台座３に取り付けられ、台座３のリード３４を介して、リレーソケット２の端子２１に電気的に接続して接地を行い、プリント基板１のグランドに電気的に接続し、静電シールドを行う。
【０００４】
このような装置は、シールドケース４が、電磁継電器内を伝達する信号から他の電磁継電器、プリント基板１のパターン、電子回路へと干渉するノイズを減らすため、静電結合による電界遮蔽効果により、シールドを行っている。
【０００５】
【特許文献１】特開昭５５−１６６８２７号公報
【発明の開示】
【発明が解決しようとする課題】
【０００６】
電磁継電器が高速信号を扱う場合、信号の伝達においてリレーリード３１や本体形状を工夫して、信号伝送路、すなわち、リレー経路の特性インピーダンスをプリント基板１のパターンの線路インイーダンスに整合させることで、信号反射の影響を抑えて不要輻射が発生しないように設計されている。
【０００７】
しかしながら、近年、電磁継電器を伝播する信号の立ち上がり、立ち下がり時間が早くなるなどして、信号周波数の帯域も上がり、高周波領域におけるインピーダンス整合が必ずしも完全に取れない状況も生じている。このような不整合が生じた場合、静電結合によるノイズのみならず、主に線路のインダクタンス成分による誘導磁界によるノイズが発生し、これが当該電磁継電器から他の電子機器、パターンに干渉して影響を及ぼす。
【０００８】
これに対し、シールドケース４に鉄を用いると、放射磁界に対して渦電流による熱損失を発生させ、電磁誘導ノイズの低減を図ることができる。
【０００９】
しかし、電磁継電器を実装する下面は、直接リレーリードやプリント基板のパターンにシャーシが接触する恐れがあるため、ケースが開放され、放射磁界が電磁継電器下面から回り込んでしまう。
【００１０】
一方、引用文献１には、磁性テープでケースを覆う構成が示されているが、静電シールドを行うことができない。
【００１１】
そこで、本発明の目的は、静電シールドと共に、電磁誘導ノイズを低減できる電磁継電器を実現することにある。
【課題を解決するための手段】
【００１２】
このような課題を達成するために、本発明のうち請求項１記載の発明は、
励磁コイルによりリレーリードの接点のオン、オフを行う電磁継電器において、
複数の穴が設けられ、上面部または下面部に、前記励磁コイル及び前記リレーリードが挿入される穴の周囲に非導電性電波吸収部が形成され、非導電性電波吸収部が形成されない部分に導電性電波吸収部が形成され、この導電性電波吸収部が電気的に接続され、接地する接地リードが穴に挿入される台座と、
内壁面上の端部に、非導電性電波吸収部が形成され、その他の内壁面上に、導電性電波吸収部が形成され、前記台座の導電性電波吸収部と電気的に接続し、前記台座を覆うシールドケースと
を備えたことを特徴とするものである。
【００１３】
請求項２記載の発明は、
励磁コイルによりリレーリードの接点のオン、オフを行う電磁継電器において、
前記励磁コイル及び前記リレーリードが挿入される穴と接地する接地リードが挿入される穴とが設けられる台座と、
内壁面上の端部に、非導電性電波吸収部が形成され、その他の内壁面上に、導電性電波吸収部が形成されるシールドケースと、
前記台座が取り付けられ、上面部または下面部に、前記励磁コイル及び前記リレーリードが穴に挿入される信号ピンの周囲に非導電性電波吸収部が形成され、非導電性電波吸収部が形成されない部分に導電性電波吸収部が形成され、この導電性電波吸収部を介して、前記シールドケースの導電性電波吸収部と電気的に接続し、接地リードが穴に挿入される接地ピンを接地するソケットと
を備えたことを特徴とするものである。
【発明の効果】
【００１４】
本発明によれば次のような効果がある。
請求項１，２によれば、リレーケース内壁を電波吸収部で覆うので、他継電器から発生する電磁誘導に起因するノイズを熱変換することで低減する。また、自身から発生する誘導性の不要輻射ノイズを同様に熱変換することで低減する。そして、非導電性電波吸収部により、絶縁を維持しつつ、導電性電波吸収部で導通を行い、接地リードを介して接地し、静電シールドを実現できる。
【００１５】
請求項２によれば、ソケットに非導電性電波吸収部、導電性電波吸収部に設けたので、有寿命品である電磁継電器を交換した場合でも、シールド部材の交換を必要としない。これにより、安価にすることができる。
【発明を実施するための最良の形態】
【００１６】
以下本発明を図面を用いて詳細に説明する。図１は本発明の一実施例を示した構成図で、（ａ）は側面断面図、（ｂ）は台座５の上面図である。ここで、図４に示されるプリント基板１、リレーソケット２は省略する。
【００１７】
図１において、台座（基材）５は、板状に形成されると共に、穴５１，５２が設けられ、上面部に、穴５１の周囲に非導電性電波吸収部５３が形成され、非導電性電波吸収部５３が形成されない部分に導電性電波吸収部５４を形成される。非導電性電波吸収部５３は、電波吸収性があり、導電性がない酸化物系強磁性粉末を、接着剤塗布後、吹付けて形成される。導電性電波吸収部５４は、電磁吸収性があり、導電性のある炭化珪素ないし非磁性金属粉末を、接着剤塗布後、吹付けて形成される。そして、台座５は、リレーリード５５、ガラス管５６、励磁コイル５７、接地リード５８が設けられ、リレーソケットに取り付けられる。リレーリード５５は、ガラス管５６に覆われ、このガラス管５６の外周に励磁コイル５７が巻かれる。リレーリード５５の信号リード５５１、励磁コイル５７の信号リード５７１は、穴５１に挿入され、リレーソケットに電気的に接続する。そして、励磁コイル５７により、リレーリード５５は、接点のオン、オフを行う。接地リード５８は穴５２に挿入され、リレーソケットに電気的に接続する。そして、リレーリード５５、ガラス管５６、励磁コイル５７、接地リード５８は、コーティング材５９で固定される。
【００１８】
リレーケース６は金属製ないし非金属製で、台座５に取り付けられ、内壁面上の端部に、非導電性電波吸収部６１が台座５のほぼ厚さ分形成され、その他の内壁面に、導電性電波吸収部６２が形成される。導電性電波吸収部６２は、導電性電波吸収部５４と電気的に接続される。非導電性電波吸収部６１、導電性電波吸収部６２は、それぞれ非導電性電波吸収部５３、導電性電波吸収部５４と同様の材料で、接着剤塗布後、吹付けて形成される。
【００１９】
このような装置の組立動作を図２を用いて説明する。台座５にリレーケース６を嵌め合わせる。これにより、リレーケース６の導電性電波吸収部６２と台座５の導電性電波吸収部５４とが電気的に接続し、導電性電波吸収部６２が、導電性電波吸収部５４、接地リード５８を介して接地される。
【００２０】
この結果、リレーケース６内壁を電波吸収部で覆うので、他継電器から発生する電磁誘導に起因するノイズを熱変換することで低減する。また、自身から発生する誘導性の不要輻射ノイズを同様に熱変換することで低減する。そして、非導電性電波吸収部５３，６１により、絶縁を維持しつつ、導電性電波吸収部５４，６２で導通を行い、接地リード５８を介して接地し、静電シールドを実現できる。
【００２１】
次に第２の実施例を図３を用いて説明する。図３の（ａ）は側面断面図、（ｂ）はソケット７の側面断面図、（ｃ）はソケット７の上面図である。ここで、図１と同一のものは同一符号を付し説明を省略する。
【００２２】
図３において、台座５０は台座５の代わりに設けられ、台座５と異なる点は、導電性電波吸収部５３、非導電性電波吸収部５４が形成されていない点である。
【００２３】
ソケット７は、板状に形成され、信号ピン（端子）７１、接地ピン（端子）７２が設けられ、上面部に、信号ピン７１の周囲に非導電性電波吸収部７３が形成され、非導電性電波吸収部７３が形成されない部分に導電性電波吸収部７４を形成される。信号ピン７１は穴を有し、穴にリレーリード５５の信号リード５５１、励磁コイル５７の信号リード５７１が挿入される。接地ピン７２は穴を有し、接地リード５８が挿入される。非導電性電波吸収部７３、導電性電波吸収部７４は、それぞれ非導電性電波吸収部５３、導電性電波吸収部５４と同様の材料で、接着剤塗布後、吹付けて形成される。
【００２４】
このような装置の組立動作は、台座５０にリレーケース６を嵌め合わせる。そして、台座５０とリレーケース６をソケット７に嵌め合わせる。これにより、リレーケース６の導電性電波吸収部６２とソケット７の導電性電波吸収部７４とが電気的に接続し、導電性電波吸収部６２が、導電性電波吸収部７４、接地リード５８、接地ピン７２を介して接地される。
【００２５】
このように、ソケット７に非導電性電波吸収部７３、導電性電波吸収部７４を設けたので、有寿命品である電磁継電器を交換した場合でも、シールド部材の交換を必要としない。これにより、安価にすることができる。
【００２６】
なお、本発明はこれに限定されるものではなく、非導電性電波吸収部５３，６１，７３、導電性電波吸収部５４，６２，７４が、接着後塗付後、粉末を吹付けて構成されたが、不織布に粉末を接着後、接着する構成でもよい。また、フィルム等に粉末を接着後、接着する構成でもよい。
【００２７】
また、非導電性電波吸収部５３，７３、導電性電波吸収部５４，７４が台座５、ソケット７の上面部に設けた構成を示したが、それぞれ下面部に設ける構成でもよい。
【図面の簡単な説明】
【００２８】
【図１】本発明の第１の実施例を示した構成図である。
【図２】図１に示す装置の組立構成図を示した図である。
【図３】本発明の第２の実施例を示した構成図である。
【図４】従来の電磁継電器の構成を示した図である。
【符号の説明】
【００２９】
５，５０  台座
５１，５２  穴
５３，６１，７３  非導電性電波吸収部
５４，６２，７４  導電性電波吸収部
５８  接地リード
６  シールドケース
７  ソケット
７１  信号ピン
７２  接地ピン
【図１】
2005032672.tif 000003
【図２】
2005032672.tif 000004
【図３】
2005032672.tif 000005
【図４】
2005032672.tif 000006